(57)【特許請求の範囲】
【請求項１】
窓枠によって構成されるサッシと当該サッシに固定される網を有する網戸であって、
前記サッシは、当該サッシを構成する枠体各辺の側面にフックを有し、
前記フックは外側に曲がっており、
前記網は、ポリエステルとポリウレタンを含む伸縮可能な素材にＵＶカット作用がある素材を合成した素材若しくはポリエステルとポリウレタンを含む伸縮可能な素材にＵＶカット作用がある素材をコーティングした素材によって、前記サッシの外形よりも小さく構成されており、
前記網の外周縁に当該網よりも剛性が高くかつ伸縮性のある伸縮体を固定するとともに、当該伸縮体の端縁に前記サッシのフックと着脱可能に係止可能な折り返し体を一体的に設けたことを特徴とする網戸。
【発明の詳細な説明】
【技術分野】
【０００１】
本発明は、伸縮自在であり、かつＵＶ低減が可能である網、当該網を着脱可能に装着する網戸、開閉口、及び虫よけネットに関するものである。
【背景技術】
【０００２】
近年、地球規模で温暖化問題に直面している中、『クールビズ』等、政府も真剣に温暖化問題に取り組んでいるが、そもそも、エアコンの利用頻度から始まった問題でもあることは周知の通りである。そのため、網戸の使用により自然の風を利用し、エアコンの利用頻度を低減させることが行なわれている。
【０００３】
この網戸は、害虫の侵入を防止しつつ、自然の風による室内温度の低減を図ることができる。しかし、幹線道路に近い家の網戸では、排気ガス等の大気汚染により、新品の網戸も１ヶ月もすれば真っ黒になり、カーテンにまでその汚れが付着してしまい清掃に悩まされることになる。同時に花粉症に悩まされる人間にとっては、付着している汚れには、花粉を含むことも容易に想定でき大きな問題である。このような汚れを落とすために、こまめな清掃や取替えを心がけたいが、従来の網戸を常に清潔な状態で維持管理するには以下の問題点があった。
【０００４】
１．網を取替える場合、サッシ同等分の平場なスペースと専用の工具が必要である。
【０００５】
２．清掃時においては、サッシに固定されている為スペースが必要である。
【０００６】
３．２において水洗いする場合、更に限定されたスペースが必要である。
【０００７】
一般的に網戸の維持管理は大変な作業であり、現在では専門業者等に委託するケースも少なくなく、コストもかかっているのが現状である。
【０００８】
上記問題点の改善策として、例えば、特許文献１では、以下の方法が提案されている。
１．サッシ枠の縁の幅と同じ幅で裏面に粘着材、表面に鈎状突起部をそれぞれ設けた帯状の面ファスナー雄片と表面に受状突起部を設けた帯状の面ファスナー雌片を２枚１組にして、サッシ枠四辺の長さに合わせて切断する。
２．サッシ枠の大きさに合わせて網体を切断する。
３．面ファスナー雄片の裏面をサッシ枠四辺に貼り付け固定する。
４．サッシ枠に固定された面ファスナー雄片の表面上に網体の四辺を網体の網目が面ファスナー雄片の鈎状突起部を通るように押しながら取り付ける。
５．面ファスナー雌片の表面を下にして上記枠体の四辺に乗せる。このとき、面ファスナー雌片の受状突起部と面ファスナー雄片の鈎状突起部が係合するように、面ファスナー雌片の面を強く押しながら取り付ける。
【０００９】
上記方法によれば網を張り替える時、いろいろな工具を使用する必要がなく、これまでの煩わしい張り替え作業の苦痛を解決し、誰でも簡単に洗えて張り替えることができる。しかし、この方法では、前述のように
１．サッシ枠の縁の幅と同じ幅で裏面に粘着材、表面に鈎状突起部をそれぞれ設けた帯状の面ファスナー雄片と表面に受状突起部を設けた帯状の面ファスナー雌片を２枚１組にして、サッシ枠四辺の長さに合わせて切断する。
２．サッシ枠の大きさに合わせて網体を切断する。
３．面ファスナー雄片の裏面をサッシ枠四辺に貼り付け固定する。とういう工程が必要になり、実際上においてはあまり実用的な方法でなく、作業上不便を伴うという欠点がある。
【特許文献１】特開２００４−２３９０３０号公報
【発明の開示】
【発明が解決しようとする課題】
【００１０】
前述のように、網戸において網のみを取り外し、網の洗浄や取替えを容易にする発明はあるが、その前段階として、網戸のサッシにファスナー等を取り付けなければいけない手間がかかるという問題点があった。しかも、もう一つには、特に夏場の日中は室内の例えば居住者にＵＶ（紫外線）が多く透過してあたり、ＵＶの既に周知の諸々の悪影響を与えるという問題点があった。
【００１１】
本発明は、上記問題点に鑑みなされたものであり、その目的は、網戸（及び開閉口としての戸、窓、及び虫よけネット）に全く余計な加工を施さなくとも、簡単に網を取り外したり、取り付けたりすることができ、しかも、ＵＶの透過を低減することができる網、網戸、開閉口、及び虫よけネットを安価に提供することにある。また、網戸等のサッシを特殊な形状としたり、網戸等のサッシに加工を施したりした場合でも、その後はより容易に網の取替えが可能な網、網戸、開閉口、及び虫よけネットを安価に提供することをも目的とする。
【課題を解決するための手段】
【００１２】
上記問題点につき本発明者が鋭意検討を行った結果、網戸には網戸が外れないようにするための突起部分があることに着目し、本発明に想到するに至った。
【００１３】
請求項１記載の本発明は、
網戸の窓枠となるサッシに着脱可能な網であって、
前記網は、ポリエステルとポリウレタンを含む伸縮可能な素材にＵＶカット作用がある素材を合成した素材若しくはポリエステルとポリウレタンを含む伸縮可能な素材にＵＶカット作用がある素材をコーティングした素材によって、前記サッシの外形よりも小さく構成されており、
前記網の外周縁に当該網よりも剛性が高くかつ伸縮性のある伸縮体を固定するとともに、当該伸縮体の端縁に前記サッシの外側縁と着脱可能に係止可能な折り返し体を一体的に設けたことを特徴とする。
【００１４】
請求項２記載の本発明は、
窓枠によって構成されるサッシと当該サッシに固定される網を有する網戸であって、
前記網は、ポリエステルとポリウレタンを含む伸縮可能な素材にＵＶカット作用がある素材を合成した素材若しくはポリエステルとポリウレタンを含む伸縮可能な素材にＵＶカット作用がある素材をコーティングした素材によって、前記サッシの外形よりも小さく構成されており、
前記網の外周縁に当該網よりも剛性が高くかつ伸縮性のある伸縮体を固定するとともに、当該伸縮体の端縁に前記サッシの外側縁と着脱可能に係止可能な折り返し体を一体的に設け、
当該折り返し体によって前記網をサッシの端縁に着脱可能に係止するように構成したことを特徴とする。
【００１５】
請求項３記載の本発明は、
窓枠によって構成されるサッシと当該サッシに固定される網を有する網戸であって、
前記サッシを構成する窓枠各辺の側面に凹部を設け、
前記網は、ポリエステルとポリウレタンを含む伸縮可能な素材にＵＶカット作用がある素材を合成した素材若しくはポリエステルとポリウレタンを含む伸縮可能な素材にＵＶカット作用がある素材をコーティングした素材によって、前記サッシの外形よりも小さく構成されるとともに、
側面に嵌合凸部を設けた前記網よりも剛性が高くかつ伸縮性のある伸縮体を前記網の外周縁に固定し、
前記サッシの凹部に前記網の嵌合凸部を圧入することにより、前記サッシに対して網を着脱可能に固定できるように構成したことを特徴とする。
【００１６】
請求項４記載の本発明は、
窓枠によって構成されるサッシと当該サッシに固定される網を有する網戸であって、
前記サッシは、当該サッシを構成する枠体各辺の側面にフックを有し、
前記網は、ポリエステルとポリウレタンを含む伸縮可能な素材にＵＶカット作用がある素材を合成した素材若しくはポリエステルとポリウレタンを含む伸縮可能な素材にＵＶカット作用がある素材をコーティングした素材によって、前記サッシの外形よりも小さく構成されており、
前記網の外周縁に当該網よりも剛性が高くかつ伸縮性のある伸縮体が固定するとともに、当該伸縮体の端縁に前記サッシのフックと着脱可能に係止可能な折り返し体を一体的に設けたことを特徴とする。
【発明の効果】
【００２５】
以上により、本発明によれば、網戸等のサッシに全く加工を施さなくとも、ＵＶの透過を低減するとともに、簡単に網戸等の網を取り外したり、取り付けたりすることができる網、網戸、開閉口としての任意の戸もしくは任意の窓（窓口）、及び虫よけネットを提供することができる。また、網戸等のサッシを特殊な形状としたり、サッシに加工を施したりした場合でも、その後はより容易にＵＶの透過を低減する網の取替えが可能である網、網戸、開閉口としての任意の戸もしくは任意の窓（窓口）、及び虫よけネットを提供することができる。
【００２６】
また、本発明によれば、網戸を張り替える際にサッシの取り外しや弛まないように張り替える困難さを低減した網戸、開閉口としての任意の戸もしくは任意の窓（窓口）、及び虫よけネットを提供することができる。
【００２７】
更に、本発明によれば、網を洗濯機で洗えるため花粉症の人でも容易に網を洗浄することができる網戸、開閉口としての任意の戸もしくは任意の窓（窓口）、及び虫よけネットを提供することができる。なお、洗濯後は、乾燥工程を経なくとも、網戸に網を固定することにより自然に乾燥させることができる。
【発明を実施するための最良の形態】
【００２８】
本発明は、例えば、網戸の網を取り外して洗浄したり、取り替えるということの容易性を可能にするとともに、ＵＶ透過の低減化を可能にするという目的を、容易な手段で実現した。
【実施例１】
【００２９】
図１は、本発明の代表例としての網戸の一実施例を表す図である。本実施例１に係る網戸１は網戸１のサッシ３、及び網戸１のサッシ３に固定する伸縮自在であり、かつＵＶ低減を図る網５からなる。
【００３０】
図２は網戸１を横から見た断面図であって、図３は網戸１のサッシ３の下端部付近の拡大断面図である。図３に示すように、網戸１のサッシ３はローラ７を介してレール６上に、そのレール６に沿って移動可能に載せられている。
【００３１】
また、図４は網戸１用のサッシ３の上端部付近の拡大断面図である。図４に示すように、網戸１のサッシ３は、レール６上を移動可能にかつ外れないように設置されている。
【００３２】
一方、本実施例の網５は、網戸１のサッシ３に固定される前の形状は、図５に示すように例えば長方形であり、少なくとも網戸１のサッシ３のフレームの大きさにまで伸長可能な大きさ（総体的な加工上の面積）を有している。但し縮尺比は任意であり、これは一実施例に過ぎず、網５の大きさは網戸１のサッシ３のフレームの大きさよりも小さければ特に問題はない。しかし、前述の網５の大きさであれば、色々な大きさの網戸に適用可能であるため好適である。尚、網５は網戸１のサッシ３のフレームと必ずしも相似形である必要はなく、例えば楕円形等であっても良い。
【００３３】
本実施例１の網５は、一つには伸縮可能な素材とＵＶカット可能な素材との合成で構成されている。網５の伸縮性のみを考慮した場合は、特に限定されるものではないが、例えばポリエステル８３％、ポリウレタン１７％の合成上の素材を用いることが好ましい。
【００３４】
一方、網５にＵＶカットの性質をもたせる場合は、例えばポリエステル、ポリウレタンの適宜％の合成とともに、ＵＶカット作用がある下記の素材を適宜％に合成するという構成法がある。
【００３５】
即ち、ＵＶカット作用がある素材には、例えば、アクリル系ポリマー、ポリエステル、エポキシ樹脂、ポリオレフィン、シリコーン、ポリウレタン、フッ素系ポリマー等のポリマー等を用いることが可能である。尚、ＵＶカット用の素材には、ＵＶカットの作用があれば、その他、任意の素材を用いても良い。例えばフォトクロミック材として、スピロピラン類も有用である。
【００３６】
但し、本実施例の網５にＵＶ低減の作用を与える場合、例えばポリエステル８３％、ポリウレタン１７％の合成上の素材の表面に、例えば上記ポリマーや、メタ・アクリルモノマー等の重合成分のコーティング層を設けるという態様もある。
【００３７】
一方、本実施例の網５の構成には、上記合成素材、または、上記ＵＶカット層を含む合成素材の所謂糸材に基づく虫よけ可能な格子状の一体成形もしくは編み込み成形の他にも、例えば、網５のネット状の各要素が六角形等となるような一体成形もしくは編み込み成形等を用いても良い。あるいは、網５の伸縮性をさらに発揮するのであれば、即ち編み込み方法等には特段の制約はなく、その他、任意の編み込み成形等を用いて良い。
【００３８】
網５の各縁の辺及び各縁の角には、図３に示すように、網５の伸縮性よりも強度（剛性）が高く、かつ伸縮性のある所定幅の伸縮体（即ち伸縮可能の帯体、もしくはゴム製の帯体）９が固定（溶着もしくは縫製）されている。但し、網５の各縁の辺及び各縁の角に固定される伸縮体９は、ゴム製の帯体等に限定されるものではなく、伸縮性のある織物の帯等で経年的にも劣化が少ないか、もしくは劣化のない比較的頑丈な伸縮自在の素材であることが望ましい。尚、伸縮体９には、必ずしもＵＶカットの機能をもたせる必要はなく、例えばポリエステル８５％及びポリウレタン１５％以上の合成上の化学繊維として比較的厚みのある帯体等を用いても良い。
【００３９】
伸縮体９の外周端から内側には、図２乃至図４に示すように、網戸１の所定の板部材（サッシ３もしくは所定のフレーム体）の縁に係止可能となるように所謂所定幅の折り返し体９ａを備える。折り返し体９ａの素材も、例えば、一つには伸縮体９の素材と同一の素材で良く、例えばポリエステル８５％及びポリウレタン１５％以上の合成上の比較的厚みのある帯体等を用いて良い。但し、折り返し体９ａは、必ずしも伸縮性を有する必要はなく、ある程度の所謂剛性のある化学繊維等を用いても良い。尚、図２乃至図４においては、折り返し体９ａは、伸縮体９とともに丸みをもった部材として示されているが、実際には所謂アルファベットのＩ字状（折り返し状）もしくはＶ字状（同じく折り返し状）の構成を有する。
【００４０】
伸縮体９と折り返し体９ａとの関係は、双方９，９ａの縁の外端同士の縫製等による一体化の関係がある。特に折り返し体９ａ同士は、網５の裏側において、同じく縫製等をもって隣り合う縁同士が一体化されており、例えばサッシ３の板部材を囲み込むことで、網５のサッシ３への着脱可能の安定した装着が可能になる。即ち折り返し体９ａは、網５の裏側において一体化されているため、サッシ３の縁へ装着した場合、人の手作業以外では容易に取り外すことはできず、即ち網５の収縮性とともに安定した装着状態を維持する。
【００４１】
以上の構成の網５は、各縁に一体加工の伸縮体９と折り返し体９ａとを備えることで、図１に示すように、網戸１に着脱可能に装着することができる。即ち図５に示すように、本実施例の網５の上辺及び一側辺における伸縮体９の裏側の折り返し体９ａをサッシ３の縁に引っ掛け（即ち図５で（３）の状態）、さらに網５を図５における（４）の方向、及び（５）の方向へ引き伸ばすことで、サッシ３の全部の縁を網５の折り返し体９ａ内に囲み込むと、図１に示すように、網５を網戸１に着脱可能に装着することができる。
【００４２】
より詳しくは、上記のように構成された網戸１のサッシ３と網５は以下のように使用される。まず、図６に示すように、網戸１のサッシ３から従来のもともと装着されている網を取り外し（例えば綺麗な裁断カットでも良い）、図７のような状態とする。次に図５に示すように網戸のサッシ３に網５の１角と２辺を固定し（３）の状態とする。次に（４）に示すように網５を右に引っ張り網５の右側を網戸のサッシ３に固定する。次に（５）に示すように下に引っ張り網の下側を網戸のサッシ３に固定する。すると、図１に示すように網戸のサッシ３に網５が固定される。
【００４３】
図２は、網戸１とレール６を横から見た断面図であって、図３は網戸１のサッシ３の下端部付近の拡大断面図である。
【００４４】
図３に示すように、網戸１のサッシ３はローラ７の外側に突起部３ａを有している。この突起部３ａは一般的な網戸１のサッシ３の４辺に存在する。網５の４辺に固定されている伸縮可能な伸縮体９が、この突起部３ａに引っ掛かり、網戸１のサッシ３に網５が固定される。網５の４辺に固定された伸縮体９は、図３に示すように、伸縮体９及び折り返し体９ａを特に肉厚としている。そして、このように構成された伸縮体９がサッシ３の突起部３ａを囲い込むように引っ掛かるようにしている。網５の４辺及び４角に網５よりも強度のある伸縮素材を固定している理由は、サッシ３の突起部３ａと接触する部分であるため耐久性が求められるからである。尚、伸縮体９に代えて網５と同一材質で肉厚なものとしても良い。また、伸縮体９の折り返し体９ａを特に肉厚としているのは、伸縮力を強化し網５を網戸１のサッシ３に固定しやすくするためである。そのため、伸縮体９の折り返し体９ａは伸縮力の強い別素材で構成してもよい。尚、伸縮体９の折り返し体９ａは肉厚としなくても本発明の目的を達成することができる。
【００４５】
網戸１のサッシ３から網５を取り外すときは、全く逆の手順で簡単に取り外すことができる。取り外した網５は縮んで元の大きさに戻る。この網５は洗濯機等で容易に洗濯洗浄することができ、洗濯洗浄後はまた網戸１のサッシ３に取り付けることができる。さらに、この網５を別の網に取り替えることもできる。別の網を異なる色や模様（例えば網目に対する花柄やキャラクタ等の刺繍等）とすることにより、カーテン感覚と同じようにバリエーションのあるデザインを楽しむことができる。
【００４６】
本実施例１によれば、網戸１の網５を取り外して洗浄したり、取り替えるという目的を、網戸１に特殊な加工を施すことなく、容易に実現することができる。
【実施例２】
【００４７】
図８は、本発明の第二の実施例を表す図であって、本実施例２に係る網戸２１は網戸２１のサッシ２３、網戸２１のサッシ２３の窓枠に固定する網２５からなる。
【００４８】
図９は従来の網戸２１を横から見た断面図であって、網戸２１のサッシ２３の窓枠付近の拡大断面図である。図９に示すように、網戸２１のサッシ２３の窓枠では、窓枠の４辺に凹部（嵌合穴）が設けられている。従来は網戸２１では網２５ａを窓枠に重ねた後、上部から固定用ゴム２２を押し込み、網２５ａをサッシ３に固定していた。しかし、本実施例２においては、図１０及び図１１に示すように窓枠の４辺に網固定用のサッシ本体改良フック２４を固定している。
【００４９】
一方、図１２に示すように網２５は網戸２１のサッシ２３に固定される前の形状は、長方形であり、網戸２１のサッシ２３の窓枠の大きさよりも小さい大きさを有している。縮尺比は任意の伸尺比である。但し、これは一実施例に過ぎず、網２５の大きさはその伸縮性のゆえに網戸２１のサッシ２３の窓枠の大きさよりも小さければ特に問題はない。しかし、前述の網２５の大きさであれば、色々な大きさの網戸に適用可能であるため好適である。尚、網２５は網戸２１のサッシ２３の窓枠と必ずしも相似形である必要はない。
【００５０】
網２５の網目は、実施例１で説明した素材と同一の素材で伸縮可能、及びＵＶカット可能に構成されている。即ち網２５の材質は特に限定されないが、実施例１と同様のものを使用する。網２５の４辺及び４角には伸縮可能な実施例１に示すものと同様の伸縮体２９が固定されている。尚、網２５の４辺及び４角に固定されているものはゴムに限定されないが、ゴムのように網２５よりも強度がある伸縮素材であることが望ましい。図１０に示すように、網２５の４辺に固定された伸縮体２９の折り返し体２９ａは特に肉厚としている。尚、実施例１と同様に伸縮体２９の折り返し体２９ａは伸縮性のない別素材としても良く、肉厚としなくても良い。
【００５１】
上記のように構成された網戸２１のサッシ２３と網２５は以下のように使用される。図１０及び図１１に示すように、窓枠の４辺に網固定用のサッシ本体改良フック２４が固定された網戸２１のサッシ２３において、サッシ本体改良フック２４に網２５の１角と２辺を固定し図１２の（３）の状態とする。次に（４）に示すように網２５を右に引っ張り網２５の右側をサッシ本体改良フック２４に固定する。次に（５）に示すように下に引っ張り網２５の下側をサッシ本体改良フック２４に固定する。すると、図１３に示すように網戸２１の窓枠に網２５が固定される。
【００５２】
図１０は、網戸２１のサッシ２３と網２５とサッシ本体改良フック２４を横から見た断面図であって、サッシ本体改良フック２４付近の拡大断面図である。
【００５３】
網戸２１のサッシ２３はサッシ本体改良フック２４を有している。このサッシ本体改良フック２４は網戸２１のサッシ２３の窓枠の４辺に取り付けられている。網２５の４辺に固定されている伸縮可能な伸縮体２９の折り返し体２９ａが、このサッシ本体改良フック２４に引っ掛かり、網戸２１のサッシ２３に網２５が固定される。
【００５４】
網戸２１のサッシ２３から網２５を取り外すときは、全く逆の手順で簡単に取り外すことができる。取り外した網２５は縮んで元の大きさに戻る。この網２５は実施例１と同様に洗濯機等で容易に洗濯洗浄することができ、洗濯洗浄後はまた網戸２１のサッシ２３に取り付けることができる。さらに、この網２５を別の網に取り替えることもできる。別の網を異なる色としたり刺繍を施すことにより、カーテン感覚と同じようにバリエーションのあるデザインを楽しむことができる。
【００５５】
本実施例２によれば、窓枠にサッシ本体改良フック２４を設けるようにサッシ２３を製造する。そのため、サッシ２３の窓枠の長さに合うようにフックを切断し、両面テープ等により取り付けなくてはならないという手間がかからない。そのため、容易に窓枠ごとに網２５の取り付け取り外し、洗濯洗浄、交換をすることができる。
【００５６】
尚、窓枠にサッシ本体改良フック２４を有していない従来の網戸に対して、サッシ本体改良フック２４を両面テープ等により固定しても良い。この場合は、長尺のサッシ本体改良フック２４を網戸の窓枠の大きさに合うように切断し、両面テープ等で窓枠の４辺に固定する手間がかかる。しかし、従来の網戸を流用することができるため、経済的である。
【実施例３】
【００５７】
次に、本発明の第三の実施例について説明する。本実施例３に係る網戸２１は網戸２１のサッシ２３、網戸２１のサッシ２３の窓枠に固定する網２５からなる。
【００５８】
図９に示すように、従来の網戸のサッシ２３の窓枠では、サッシ２３と窓枠の４辺に凹部（隙間）が設けられている。従来の網戸では網２５ａを窓枠（所謂網用の窓枠でもともと存在する窓枠）に重ねた後、上部から固定用ゴム２２を押し込み、網２５ａをサッシ２３に固定していた。しかし本実施例３においては、実施例１と同様に伸縮性及びＵＶカット性のある網２５の全縁にゴム製の帯体（図示省略）をあらかじめ一体に備えるものである。そのゴム製の帯体はサッシ２３と窓枠との間の凹部（隙間）に圧入もしくは挿入するものであり、そのゴム製の帯体の圧入もしくは挿入で本実施例３の網２５をその窓枠に着脱可能に装着するものである。
【００５９】
本実施例３によれば、サッシ２３と窓枠との間の凹部に網２５の全縁のゴム製の帯体を圧入もしくは挿入するだけで、伸縮自在及びＵＶカット可能の網２５を網戸２１に着脱可能に装着することができる。
【実施例４】
【００６０】
次に本発明の第四の実施例について説明する。本実施例４に係る網戸２１は網戸２１のサッシ２３、網戸２１のサッシ２３の窓枠に固定する網２５からなる。
【００６１】
図９に示すように、網戸２１のサッシ２３の窓枠では、窓枠の４辺に凹部（以下嵌合穴と呼ぶ）が設けられている。従来の網戸では網２５ａを窓枠（所謂網用の窓枠でもともと存在する窓枠）に重ねた後、上部から固定用ゴム２２を押し込み、網２５ａをサッシ２３に固定していた。しかし本実施例４においては、実施例１と同様に伸縮性及びＵＶカット性のある網２５の全縁の上記嵌合穴に圧入し得る嵌合凸部（図示省略）を有する伸縮体（図示省略）をあらかじめ一体に備えるものである。その伸縮体の嵌合凸部は窓枠の４辺の嵌合穴に圧入することで、本実施例４の網２５をその窓枠に着脱可能に装着するものである。
【００６２】
本実施例４によれば、サッシ２３の嵌合穴に網２５の全縁の伸縮体の嵌合凸部を圧入するだけで、伸縮自在及びＵＶカット可能の網２５を網戸２１に着脱可能に装着することができる。
【実施例５】
【００６３】
図１４は、本発明の第五の実施例を表す図であって、本発明をビルの窓等に適用する場合を示している。図１４はビルの窓や、店舗の厨房等のバックヤードの窓（窓口）もしくは扉（戸）の構成例を説明する説明図を示す。本実施例５に係る網戸３１は、窓枠３８に固定された被係止部としての引掛け用フック３４と実施例１に示す網５の伸縮性とＵＶカット性と同様の機能性の構成を有する網３５からなる。窓枠３８の４辺の引掛け用フック３４は窓枠３８の４辺の長さに合うように切断されており、両面テープで４辺に固定されている。
【００６４】
図１５は被係止部としての引掛け用フック３４と網３５を上から見た断面図であって、図１４の窓枠３８付近の拡大断面図である。従来のビルの窓や、店舗の厨房等のバックヤードの窓口もしくは扉には網戸を固定するためのレールや固定具は一般的には存在しない。そのため、本実施例５においては、図１４及び図１５に示すように窓枠３８の４辺に引掛け用フック３４を固定している。
【００６５】
一方、網３５は引掛け用フック３４に固定される前の形状は、図１６に示すように長方形であり、伸縮性のゆえに窓枠３８の大きさよりも適宜に小さい大きさを有している。縮尺比は任意の縮尺比である。ただし、これは一実施例に過ぎず、網３５の大きさは伸縮性のゆえに窓枠３８の大きさよりも小さければ特に問題はない。しかし、前述の網３５の大きさであれば、色々な大きさの窓枠３８に適用可能であるため好適である。尚、網３５は窓枠３８と必ずしも相似形である必要はない。
【００６６】
網３５の４辺及び４角には図１５に示すように伸縮可能な伸縮体（もしくはゴム製の帯び体）３９が固定（溶着もしくは縫製）されている。網３５の４辺及び４角に固定されているものはゴムに限定されないが、ゴムのように網よりも強度がある伸縮素材であることが望ましい。網３５の４辺に固定された伸縮体３９は、図１５に示すように折り返し体３９ａを有する。尚、実施例１と同様に伸縮体３９の折り返し体３９ａは伸縮性のない別素材としてもよい。
【００６７】
上記のように構成された窓枠３８に固定された引掛け用フック３４と網３５は以下のように使用される。まず、図１６に示すように引掛け用フック３４に網３５の１角と２辺を固定し（１）の状態とする。次に（２）に示すように網３５を右に引っ張り網３５の右側を引掛け用フック３４に固定する。次に（３）に示すように下に引っ張り網３５の下側を引掛け用フック３４に固定する。すると、図１４に示すように窓枠３８に網３５が固定される。
【００６８】
図１５は、サッシと網３５と引掛け用フック３４の上から見た断面図であって、引掛け用フック３４付近の拡大断面図である。
【００６９】
窓枠３８には引掛け用フック３４が両面テープで固定されている。この引掛け用フック３４は窓枠３８の４辺に取り付けられている。網３５の４辺に固定されている伸縮可能な伸縮体３９の折り返し体３９ａが、この引掛け用フック３４に引っ掛かり、窓枠３８に網３５が固定される。
【００７０】
窓枠３８から網３５を取り外すときは、全く逆の手順で簡単に取り外すことができる。取り外した網３５は縮んで元の大きさに戻る。この網３５は実施例１と同様に洗濯機等で容易に洗濯洗浄することができ、洗濯洗浄後はまた窓枠３８に取り付けることができる。さらに、この網３５を別の網に取り替えることもできる。別の網を異なる色や刺繍を与えることにより、カーテン感覚と同じようにバリエーションのあるデザインを楽しむことができる。
【００７１】
本実施例５によれば、網戸を取り付けるレール等のないビルの窓や扉、店舗の厨房等のバックヤードの窓口もしくは扉にも網３５を取り付けることができる。また、取り付け取り外し、洗濯洗浄、交換も容易である。
【実施例６】
【００７２】
図１７は、本発明の第六の実施例を表す図であって、本発明を自家用車・バス・電車等の開閉口としての窓に適用する場合を示している。図１７の符号４１は自家用車の後部座席の窓であり、本実施例６に係る網戸は、窓枠４８に固定された引掛け用フック４４と網４５からなる。網４５も実施例１に示す場合と同様に伸縮性及びＵＶカット性の機能性を有する。尚、本発明に係る網４５を運転席の窓枠に適用することもできるが、安全上の観点から、運転中は網４５を取り付けないことが望ましい。
【００７３】
図１８は引掛け用フック４４と網４５を横から見た断面図であって、図１７の窓枠４８付近の拡大断面図である。従来の自家用車の後部座席の窓には網戸を固定するためのレールや固定具は一般的には存在しない。そのため、本実施例６においては、図１７及び図１８に示すように窓枠４８に引掛け用フック４４を固定している。固定の方法は窓枠４８の形状に合うように引掛け用フック４４を切断し、両面テープ等で固定する。尚、固定の方法は両面テープに限らず、接着剤等色々な方法で固定することができる。
【００７４】
一方、網４５は引掛け用フック４４に固定される前の形状は、図１９に示すように楕円形を４分割した形状であり、その伸縮性のゆえに窓枠４８の大きさよりも適宜に小さい大きさを有している。縮尺比は任意の縮尺比である。但しこれは一実施例に過ぎず、網４５の大きさはその伸縮性のゆえに窓枠４８の大きさよりも小さければ特に問題はない。しかし、前述の網４５の大きさであれば、色々な大きさの窓枠４８に適用可能であるため好適である。尚、網４５は窓枠４８と必ずしも相似形である必要はないが、相似形に近いほど好適である。
【００７５】
網４５の周囲には伸縮可能な例えばゴム製の帯体もしくは編み物製の伸縮体４９が固定されている。網４５の周囲に固定されているゴム製の帯体もしくは伸縮体４９は網４５よりも強度がある伸縮素材であることが望ましい。網４５の周囲に固定された伸縮体４９は、図１８に示すように折り返し体４９ａを有する。尚、実施例１と同様に伸縮体４９の折り返し体４９ａは伸縮性のない別素材としてもよい。
【００７６】
上記のように構成された窓枠４８に固定された引掛け用フック４４と網４５は以下のように使用される。まず、図１９に示すように引掛け用フック４４に網４５の１角を固定し（１）の状態とする。次に矢印に示す方向に網４５を右及び下に引っ張り、図１７に示すように網４５の右側下側左側を引掛け用フック４４に固定する。
【００７７】
図１８は、窓枠４８と網４５と引掛け用フック４４を横から見た断面図であって、引掛け用フック４４付近の拡大断面図である。
【００７８】
窓枠４８には引掛け用フック４４が取り付けられている。網４５の周囲に固定されている伸縮可能な伸縮体４９の折り返し体４９ａが、この引掛け用フック４４に引っ掛かり、窓枠４８に網４５が固定される。
【００７９】
窓枠４８から網４５を取り外すときは、全く逆の手順で簡単に取り外すことができる。取り外した網４５は縮んで元の大きさに戻る。この網４５は実施例１と同様に洗濯機等で容易に洗濯洗浄することができ、洗濯洗浄後はまた窓枠４８に取り付けることができる。さらに、この網４５を別の網に取り替えることもできる。別の網を異なる色としたり刺繍を施したりすることにより、カーテン感覚と同じようにバリエーションのあるデザインを楽しむことができる。
【００８０】
本実施例６によれば、網戸を取り付けるレール等のない自家用車・バス・電車等の開閉口としての窓にも伸縮可能及びＵＶ低減可能の網４５を取り付けることができる。また、取り付け取り外し、洗濯洗浄、交換も容易である。
【００８１】
一方、詳しくは図示しないが、店舗の厨房等のバックヤードの開閉口としての窓口もしくは扉に本発明の網を装着する場合は、例えばその窓口や扉の上方の任意の位置に被係止部を設け、本発明の網の係止部をその被係止部に係止させて、本発明の網を吊設するという態様がある。もしその窓口が横方向に広い領域を有する場合は、本発明の複数の網を隣同士に例えば隙間なく連設的に吊設するとう態様も好適である。
【００８２】
店舗の厨房等のバックヤードの窓口もしくは扉に本発明の網を装着する場合、厨房と客室との間を遮蔽して、客室の冷房等の空調をより効率的に行うことができる。
【００８３】
その他、本発明を実施するための最良の構成、形態、方法等は、以上の記載で開示されているが、本発明はこれに限定されるものではない。すなわち、以上の記載は、主に特定の実施例に関して図示され、かつ説明されているが、本発明の技術的思想及び目的の範囲から逸脱することなく、以上述べた実施例１，２，３，４，５，６に対し、材質、形状、数量、その他の構成において、当業者が様々な変形を加えることができる。
【００８４】
従って、以上に開示した材質、形状、数量等を限定した記載は、本発明の理解を容易にするために例示的に記載したものであり、本発明を限定するものではない。そのため、それらの材質、形状、数量等の一部もしくは全部の限定を外した記載は、本発明の技術的範囲に含まれる。
【００８５】
一方、虫よけネットの網目の構成も、実施例１で説明した網５の構成（即ち伸縮性及びＵＶカット性）を用いるものである。但しそのネットの形状は任意の形状に扱って構わない。
【産業上の利用可能性】
【００８６】
以上のように構成した本発明は、網、サッシ、網戸、その他、開閉口としての一般家屋の戸もしくは窓や、ビルや厨房の戸もしくは窓（窓口）、自家用車・バス・電車の戸もしくは窓、及び虫よけネット等に利用することが可能性である。
【図面の簡単な説明】
【００８７】
【図１】本発明の網戸の第一の実施例を示した図である。
【図２】図１を横から見た断面図である。
【図３】図２の下端部を示した拡大図である。
【図４】図２の上端部を示した拡大図である。
【図５】網５が網戸のサッシ３に固定される前の状態を示した図である。
【図６】従来の網戸を示した図である。
【図７】従来の網戸のサッシ３から網を取り外した図である。
【図８】本発明の網戸の第二の実施例を示した図である。
【図９】従来の網戸を横から見た断面図であって、網戸のサッシ３の窓枠付近の拡大断面図である。
【図１０】本発明の網戸を横から見た断面図であって、網戸のサッシ２３の窓枠付近の拡大断面図である。
【図１１】本発明の網戸のサッシ２３を示した図である。
【図１２】網２５が網戸のサッシ２３に固定される前の状態を示した図である。
【図１３】網戸の窓枠に網２５を固定した状態を示した説明図である。
【図１４】本発明の第三の実施例を表す図であって、本発明をビルの窓等に適用する場合を示した図である。
【図１５】引掛け用フック３４と網３５を上から見た断面図であって、図１４の窓枠３８付近の拡大断面図である。
【図１６】網３５が引掛け用フック３４に固定される前の状態を示した図である。
【図１７】本発明の第四の実施例を表す図である。
【図１８】引掛け用フック４４と網４５を横から見た断面図であって、図１７の窓枠４８付近の拡大断面図である。
【図１９】網４５が引掛け用フック４４に固定される前の状態を示した図である。
【符号の説明】
【００８８】
１    網戸
３    網戸のサッシ
３ａ  突起部
５    網
６    レール
７    ローラ
９    伸縮体
９ａ  折り返し体
２１    網戸
２２    固定用ゴム
２３    網戸のサッシ
２４    サッシ本体改良フック
２５    網
２５ａ  網
２９    伸縮体
２９ａ  折り返し体
３１    網戸
３４    引掛け用フック
３５    網
３８    窓枠
３９    伸縮体
３９ａ  折り返し体
４４    引掛け用フック
４５    網
４８    窓枠
４９    伸縮体
４９ａ  折り返し体
【図１】
0004446979.tif 000002
【図２】
0004446979.tif 000003
【図３】
0004446979.tif 000004
【図４】
0004446979.tif 000005
【図５】
0004446979.tif 000006
【図６】
0004446979.tif 000007
【図７】
0004446979.tif 000008
【図８】
0004446979.tif 000009
【図９】
0004446979.tif 000010
【図１０】
0004446979.tif 000011
【図１１】
0004446979.tif 000012
【図１２】
0004446979.tif 000013
【図１３】
0004446979.tif 000014
【図１４】
0004446979.tif 000015
【図１５】
0004446979.tif 000016
【図１６】
0004446979.tif 000017
【図１７】
0004446979.tif 000018
【図１８】
0004446979.tif 000019
【図１９】
0004446979.tif 000020